(57)【要約】調整可能な調整スライダ１３と、調整スライダ１３を調整する第２部品９とを有する装置１では、調整スライダ１３に少なくとも１つの被係合部１６が設けられ、第２部品９は、被係合部１６に係合可能な係合部３１を有し、第２部品９が作動されないとき、係合部３１は、調整スライダ１３の被係合部１６に係合されず、第２部品９を作動させることで、被係合部１６に係合され、調整スライダ１３の調整を可能とする。
2005505391.tif 000002
【特許請求の範囲】
【請求項１】
第１の移動経路に沿って変位可能にガイドされる少なくとも１つの調整スライダを有し、
第２経路に沿ってガイドされ、手で第２経路に沿って作動及び調整可能であり、前記調整スライダを調整する少なくとも１つの第２部品を有し、
前記第２部品は、前記調整スライダに向かって調整可能であり前記調整スライダに直接係合可能な係合部を有し、
前記調整スライダは、前記第２部品の前記係合部が直接係合可能な少なくとも１つの被係合部を有し、
前記第２部品が作動されないとき、前記第２部品の係合部及び前記少なくとも１つの被係合部が互いに非係合とされ、
前記第２部品が作動されるとき、該作動により前記調整スライダに向かって調整された前記第２部品の係合部が、前記調整スライダの被係合部に直接係合され、前記調整スライダは、前記調整スライダに向かって調整され前記調整スライダの被係合部に直接係合された第２部品の係合部により、前記第１の経路に沿って調整されることができる、装置。
【請求項２】
前記調整スライダは、前記第１の移動経路の方向で互いに隣り合う位置に複数の被係合部を有し、
前記第２部品の係合部は、前記調整スライダのそれぞれの被係合部に直接係合することができる、請求項１記載の装置。
【請求項３】
前記第２の移動経路の方向で前記第２部品の調整移動を制限する係止手段が設けられ、
前記第２部品の調整ストロークは、前記係止手段により前記調整スライダの調整ストロークの一部に制限され、前記調整スライダは、隣り合う前記調整スライダの被係合部に前記第２部品の係合部を順次に係合させ、前記第２部品を前記第２の移動経路の方向で多数回調整することで、その調整ストロークの全体に亘って調整されることができる、請求項２記載の装置。
【請求項４】
前記第２部品に対して開始位置が定められており、
前記第２部品と協働して前記第２部品を前記開始位置の方向に付勢するスプリング手段が設けられる、請求項３記載の装置。
【請求項５】
調整に対して前記調整スライダをロックする制御可能なロック手段が設けられ、該ロック手段は、前記第２部品の係合部及び前記調整スライダの被係合部が非係合の場合に前記調整スライダの調整を防止する、請求項１記載の装置。
【請求項６】
前記ロック手段は、前記第２部品により制御されることができる、請求項４記載の装置。
【請求項７】
前記ロック手段は、前記第２部品の係合部により制御されることができる、請求項５記載の装置。
【請求項８】
前記第２部品は、前記第２の経路に沿って調整されることができる摺動型の摺動ボタンであり、
前記摺動ボタンの係合部は、前記第２の経路の横断方向に調整可能となるように前記摺動ボタン上に保持される押しボタン型の係合スライダにより形成される、請求項１記載の装置。
【発明の詳細な説明】
【０００１】
本発明は、第１の移動経路に沿って変位可能にガイドされる少なくとも１つの調整スライダと、第２経路に沿ってガイドされ、手で第２経路に沿って作動及び調整可能であり、前記調整スライダを調整する少なくとも１つの第２部品とを有する装置に関する。
【０００２】
この種の装置は、例えば米国特許５，８９８，９９９Ａから知られている。この公知の装置は、調整可能な櫛装置を備えた髪切りシステムである。公知の装置は、櫛装置を調整するため、第１の経路で調整可能にガイドされる２つの調整スライダを有し、それぞれの調整スライダは、装置の第２部品として設けられる摺動ボタンに永久生成ヒンジ接続部によりヒンジ接続される。公知の装置では、２つの調整スライダ及び摺動ボタンは、上述の如く相互に永久的に結合される。この結果、第２の部品として設けられる摺動ボタン及び２つの調整スライダは、殆ど同一の調整経路に亘ってしか調整できない。比較的大きな調整経路が必要とされ、それ故に、調整可能な櫛装置に対して設けられるので、同様に大きな調整経路が摺動ボタンに対しても設けられなければならず、その結果、摺動ボタンを調整可能とするために公知の髪切り装置のハウジングに設けられる貫通開口に対して、装置の内部へのダストや汚れの望ましくない侵入を防止する目的の良好なシールを得るためには、比較的コストが嵩み、複雑化する。公知の装置の場合、摺動ボタンは、摺動ボタン内に埋め込まれた押しボタンに嵌合し、押しボタンは、ロック手段として、摺動ボタンの意図しない変位を係止するために使用されることができる。この構造は、比較的コストが嵩み複雑化する。上述の状況は改善の余地がある。
【０００３】
本発明の目的は、改善の余地がある上述の状況に対して、機械的に簡易で、信頼性があり、コスト効率のある解決策を見出し、冒頭で詳説した種の装置を改善することである。
【０００４】
上で詳説した目的を達成するため、本発明による特徴は、本発明による装置に設けられ、従って、本発明による装置は、次のように特徴付けられる。
【０００５】
第１の移動経路に沿って変位可能にガイドされる少なくとも１つの調整スライダを有し、
第２経路に沿ってガイドされ、手で第２経路に沿って作動及び調整可能であり、前記調整スライダを調整する少なくとも１つの第２部品を有し、
前記第２部品は、前記調整スライダに向かって調整可能であり前記調整スライダに直接係合可能な係合部を有し、
前記調整スライダは、前記第２部品の前記係合部が直接係合可能なように構成された少なくとも１つの被係合部を有し、
前記第２部品が作動されないとき、前記第２部品の係合部及び前記少なくとも１つの被係合部が互いに解除され、
前記第２部品が作動されるとき、該作動により前記調整スライダに向かって調整された前記第２部品の係合部が、前記調整スライダの被係合部に直接係合され、前記調整スライダは、前記調整スライダに向かって調整され前記調整スライダの被係合部に直接係合された第２部品の係合部により、前記第１の経路に沿って調整されることができる、装置。
【０００６】
本発明による特徴を提供することによって、構造的に簡易で、省スペースの態様で、且つ低コストで、調整スライダに必要な調整ストロークよりも相当に小さい第２部品に対する調整ストロークで操作することができる装置を提供することが可能である。更に、本発明による特徴により、調整スライダの意図しない若しくは望ましくない調整を特に簡易な方法で防止することが可能となる。
【０００７】
パナソニックというブランド名の下、型番号ＥＲ２１５で市場に出されている髭剃り若しくは髪切り装置では、変位可能にガイドされる調整スライダが、櫛装置を調整するために設けられ、装置の第２部品をそれぞれ構成する２つの押しボタンが、調整スライダを調整するために設けられる。この場合、調整スライダは、ギアが噛み合うラックとして部分的に形成され、当該ギアは、調整ギアに同軸に接続される。調整ギアは、その外周に沿って連続的に交互に指示子及び突起を有し、従って、調整歯のセットを形成する。上述の２つの押しボタンは、相互に実質的に鏡像の対称関係で調整ギアの反対側に配置され、それぞれの押しボタンは、調整ギアに対して横方向に延在されてよいアーム上に搭載される調整歯を有し、２つの調整歯のそれぞれが、調整歯のセットと協働するよう構成・配置され、調整ギアは、２つの調整歯のそれぞれにより段階的に正逆回転でき、これにより、ラック及びそれに伴い調整スライダが、調整ギアに同軸接続されたギアを介して正逆方向に移動できるようになる。この解決策でも、各押しボタンに対して比較的小さな調整ストロークを付与しつつ、押しボタンを反復作動により、押しボタンの調整ストロークよりも大きな調整ストロークを調整スライダに対して得ることが可能であるが、装置の第２部品として設けられる押しボタンの何れの調整スライダへの直接係合がなされず、また直接係合が可能でなく、代わりに、当該結果を達成するため、構造上比較的複雑で、比較的多数の部品を要する解決策がなされている、というのは、満足のいく動作を保証する場合、全ての相互に協働する部品が、互いに対して正確な位置に配置されなければならないからである。これに対して、本発明による解決策では、構造を大幅に簡素化することが可能となる、というのは、手で調整可能な第２部品が、調整スライダに直接係合できるからであり、これは、簡易な構成の観点のみならず、第２部品による調整スライダの安全で信頼性のある調整の観点からも有利である。
【０００８】
本発明による装置では、調整スライダは、例えば、互いに隣り合う位置に２つだけ被係合部を有してよい。しかし、請求項２に記載のステップが追加で採用される場合、特に有利であることが分かった。このようにして、第２部品に対して特に小さい調整ストロークで対処することが可能となる。
【０００９】
上述のような本発明による装置では、請求項３に記載の特徴が追加で採用される場合、特に有利であることが分かった。これは、特に安全で信頼性のある操作に関して有利である、というのは、正確に定義された調整ストロークが、制限手段により第２部品に対して設定されるからである。
【００１０】
上述のような本発明による装置では、請求項４に記載の特徴が追加で採用される場合、非常に有利であることが分かった。この種の構成は、簡易で便利なハンドリングの観点から有利であることが証明されている、というのは、第２部品が一旦調整され次いで解放されるとその開始点に自動的に戻るという保証がもたらされるからである。
【００１１】
本発明による装置では、請求項５に記載の特徴が追加で採用される場合、特に有利であることが分かった。この種の構成は、特に有利であることが証明されている、というのは、調整スライダ及び第２部品が互いに非係合のときに如何なる調整スライダの動きも確実に防止されるという保証がもたらされるからである。
【００１２】
本発明による装置では、請求項６若しくは７に記載のステップが追加で採用される場合、非常に有利であることが分かった。特に簡易な構造的実現が可能となる、というのは、ロック手段を制御するのに必要な全てが現に存在する手段であるからである。
【００１３】
本発明による装置では、請求項８に記載の特徴が追加で採用される場合、非常に有利であることが分かった。とりわけ知られているとみなすことができるこの種の構成は、特に本発明による装置に対して有利であることが証明されている、というのは、装置を特に扱いやすくするからである。
【００１４】
本発明の上述の局面及びその他の局面は、以下参照する実施例により明らかになるだろう。
【００１５】
本発明は、図面に示す３つの実施例を参照して詳説されるが、本発明はこれに限定されない。
【００１６】
図１は、髪切り装置である装置１を示す。髪切り装置１は、図１で一点鎖線の中心線３により指示される態様で屈曲したハウジング２を有する。ハウジング２の前端４の領域では、装置１には、髪を切るための歯付きカッティング装置５が設けられる。髪切り動作中にカットされる髪の長さを設定可能とするため、装置１は、ハウジング２の前端４の領域に、歯付きカッティング装置５に加えて櫛装置６を有する。櫛装置６は、ハウジング２のガイド溝８内にそれぞれ配置できる２つのガイドアーム７により、ハウジング２に対して、従って歯付きカッティング装置５に対して配置されることができる。櫛装置６を変位可能とするため、装置１は、摺動ボタン９を有する。スイッチオン／オフを可能とするため、装置１は、更に、摺動ボタン１０を有する。
【００１７】
装置１の構成に関して、この点で米国特許５，８９８，９９９Ａが参照される。この文献は、また、髪切り装置及び図１に示す装置に酷似する当該装置の構成を記載する。米国特許５，８９８，９９９Ａへの参照は、当該参照によりその開示内容が本明細書に組み込まれたものとみなされる。
【００１８】
摺動ボタン９による櫛装置６の調整は、図２乃至図５を参照して以下に詳説する。
【００１９】
ハウジング２の内部では、装置１は、ハウジング２内に詳細が示されない態様で固定的に保持される基部１１を有し、基部１１は、装置の色々な部品を保持するために設けられる。装置１は、また、両端矢印１２により指示される第１の移動経路に沿って基部１１上で調整可能にガイドされる調整スライダ１３を有する。調整スライダ１３は、図２乃至図５では一方しか見えないが、２つの側壁１４を有する。２つの側壁１４は、８つのクロスピース１５の全体により互いに接続される。７つの室１６の全体は、クロスピース１５間に設けられる。各室１６は、調整スライダ１３内の被係合部１６を形成する。室１６の目的は以下で詳説される。
【００２０】
装置１では、摺動ボタン９は、調整スライダ１３を調整可能とするために設けられる第２部品９を構成する。摺動ボタン９は、両端矢印１７により指示される第２の移動経路に沿って調整可能にガイドされる。本例では、両端矢印１２により指示される第１の移動経路及び両端矢印１７により指示される第２の移動経路は、平行に延在する。これは、絶対的に重要ではない、というのは、代替的に、２つの移動経路が僅かな角度をなして延在してもよいからである。摺動ボタン９は、手で両端矢印１７により指示される第２の移動経路に沿って作動・調整できる。
【００２１】
摺動ボタン９は、装置の内部から離れた端部でカバー部１９により閉塞されるスリーブのような部位１８を含み、通路２０が、カバー部１９に設けられる。カバー部１９から離れた摺動ボタン９の領域では、第１の延長部２１及び第２の延長部２２が、ボタンのスリーブのような部位１８から横方向に突出している。第１の突起２３は、第１の延長部２１から延在し、第２の突起２４は、第２の延長部２２から延在する。第１の突起２３の反対側に位置するのは、装置１に対して固定して配置される第１の対向突起２５である。第２の突起２４の反対側に位置するのは、同様に装置１に対して固定して配置される第２の対向突起２６である。第１の圧縮スプリング２７が第１の突起２３と第１の対向突起２５との間に設けられ、第２の圧縮スプリング２８が第２の突起２４と第２の対向突起２６との間に設けられる。第１の圧縮スプリング２７及び第２の圧縮スプリング２８は、スプリング手段２９を構成し、スプリング手段２９は、摺動ボタン９と協働し、摺動ボタン９を付勢して、装置１内の摺動ボタン９に対して定められた開始位置に付勢する。摺動ボタン９の開始位置は、図２及び図５で見ることができる。本実施例では、スプリング手段２９は、２つの圧縮スプリング２７，２８の形態である。２つの圧縮スプリングに代えて、テンションスプリングやロッドスプリングのような他のスプリングが代替的に設けられてもよい。また、摺動ボタン９は、カバー部１９から離れた領域でプレートのような蓋部材３０により閉塞されてもよい。
【００２２】
摺動ボタン９は、調整スライダ１３に向けて調整可能な係合部３１を有する。本例では、摺動ボタン９の係合部３１は、両端矢印１７により指示される第２の移動経路を横断する方向で調整可能なように摺動ボタン９内に保持される押しボタン型の係合スライダにより形成される。係合部３１の大部分は、本例ではボタンのスリーブのような部位１８の内部に収容される。係合部３１は、円盤部３２を有し、そこから、円筒形の作動頭部３３が、カバー部１９の方向に突出し、カバー部１９の通路２０を通過している。係合ロッド３４は、作動頭部３３から遠い側に円盤部３２から突出し、その自由端は、蓋部材３０の通路３５内に収容される。係合ロッド３４には、図２及び図５に示す未調節の開始位置へと係合部３１に荷重を与える圧縮スプリング３６が設けられる。
【００２３】
調整スライダ１３は、両端矢印１２により指示される第１の移動経路の方向で互いに隣り合う位置に、第２部品９の係合部３１が係合可能となるよう構成され設けられる複数の被係合部を有する。本例では、これらの被係合部は、室１６により形成される。摺動ボタン９の調整可能な係合部３１は、調整スライダ１３内の室１６のいずれかに係合でき、これは、係合ロッド３４の自由端を対応する室１６内へと摺動することでなされ、これは、係合部３１が押し下げられた場合に起こり、従って、矢印３７の方向に手で変位された場合に起こる。
【００２４】
上述の如く装置１の構成では、摺動ボタン９が作動されないとき、即ち係合部３１が矢印３７の方向に調整されておらず、摺動ボタン９が両端矢印１７の方向に平行に調整されておらず、従って、係合部３１及び摺動ボタン９が図２に示すそれぞれの開始位置にあるとき、摺動ボタン９の係合部３１及び調整スライダ１５の室１６が互いに非係合である。装置１の場合、摺動ボタン９が作動されたとき、即ち係合部３１が矢印３７の方向に調整され、摺動ボタン９が両端矢印１７の方向に平行に調整されたとき、作動の結果として調整スライダ１３に対して調整された摺動ボタン９の係合部３１は、調整スライダ１３の室１６内に係合され、調整スライダ１３は、調整スライダ１３に対して調整され調整スライダ１３の対応する室１６に係合された摺動ボタン９の係合部３１により、両端矢印１２により指示される第１の移動経路に沿って調整されるか若しくは調整可能である。
【００２５】
装置１では、第１の係止ストッパ３８及び第２の係止ストッパ３９が、ハウジング２上に設けられ、両端矢印１７により指示される第２の移動経路の方向に平行な摺動ボタン９の可能な調整ストロークを制限する。第１の係止ストッパ３８及び第２の係止ストッパ３９は、本例では摺動ボタン９の調整ストロークを制限する制限手段４０を形成する。調整スライダ１３をその全体の調整ストローク、装置１の櫛装置６を所与の全ての動作位置間で調整可能とするために必要なストロークに亘って調整可能とするため、装置１では、調整スライダ１３は、係合部３１を調整スライダ１３の隣り合う室１６に次々に係合させ、摺動ボタン９を、複数回、両端矢印１７により指示される第２の移動経路の方向に平行に調整することによって、その調整ストローク全体に亘って調整されることができるか若しくは調整されなければならない。
【００２６】
また、装置１には、調整スライダ１３を調整に対してロックするために使用される制御可能なロック手段４１が設けられる。ロック手段４１は、本例では、基部１１内へと調整可能にガイドされるロックスライダ４１により形成される。ロックスライダ４１は、ここでは、ディスク部４２を含み、ディスク部４２から、ロックスタッド４３が、摺動ボタン９の方向に突出している。ロックスタッド４３は、調整スライダ１３内の室１６に協働するように構成・設けられる。ロックスタッド４３から離れる側のディスク部４２からは、ガイドロッド４１が突出し、ガイドロッド４１には、図２，４に示すロックスライダ４１をロック位置に向けて付勢する圧縮スプリングが設けられる。ガイドロッド４１は、摺動ボタン９の係合部３１及び調整スライダ１３の室１６が互いに非係合の場合、従って、係合部３１がその開始位置にある場合、図１，５に示す調整スライダ１３の調節を防止する。上述の如く、ロックスライダ４１は、制御可能なロック手段４１であり、ロック手段４１が、摺動ボタン９により正確には摺動ボタン９の係合部３１により制御可能である点で、装置１における簡易な設計が実現される。
【００２７】
更に、調整スライダ１３は、装置１の櫛装置６を調整可能とするために設けられている。このため、２本の調整アーム４６が、ヒンジ結合４７により調整スライダ１３にそれぞれ接続される。２本の調整アーム４６のうち１本しか図２乃至図５には見えない。２本の調整アーム４６は、更なる調整手段（図示せず）による櫛装置６を調整可能とする。これに関して、再度米国特許５，８９８，９９９Ａが参照され、そこには、かかる調整手段が開示されている。この特許の開示内容は、当該参照により本明細書に組み込まれる。
【００２８】
次に、図２乃至図５を参照して、摺動ボタン９による櫛装置６の調整に関する操作方法を詳細に説明する。
【００２９】
図２は、調整スライダ１３が全体で７つの可能な動作位置の中央の一位置に調整されている開始位置を示す。調整スライダ１３は、ロックスライダ４１のロックスタッド４３によりこの中央の動作位置で不可動とされ、即ち、２本の調整アーム４６及び更なる調整手段（図示せず）により、櫛装置６がセットされている動作位置に保持させられる。
【００３０】
ここで、装置１のユーザが、歯付きカッティング装置５から一段離れた動作位置に櫛装置６を調整したいとする。このため、ユーザは、摺動ボタン９を押し、これにより図３に示すように係合部３１が矢印３７の方向に押し下げられる。係合部３１がこのように押し下げられた結果、係合ロッド３４の自由端は、係合ロッド３４に対向する調整スライダ１３内の室１６に嵌入され、ロックスライダ４１が、圧縮スプリング４５により負荷に抗して係合部３１の係合ロッド３４の自由端により変位させられ、これにより、ロックスタッド４３が、図３に示すように、前記室１６から抜ける。ロックスタッド４３が調整スライダ１３内の室１６から抜けた結果、調整スライダ１３はもはやロックされておらず、次いで、ユーザは、図４に示すように、摺動ボタン９が第１の係止ストッパ３８に当接するまで、図４に示す矢印４８により指示される態様で摺動ボタン９を移動させることができる。この変位の間、第１の圧縮スプリング２７は圧縮される。摺動ボタン９の矢印４８の方向への変位により、２本の調整アーム４６を介して櫛装置６が調整される。
【００３１】
上述の摺動ボタン９の調整中、摺動ボタン９の係合部３１も調整され、その結果、調整スライダ１３が調整されるだけでなく、係合部３１の係合ロッド３４の自由端もロックスライダ４１のロックスタッド４３から離れる方向に移動され、この結果、圧縮スプリング４５により加わる力により、ロックスライダ４１は調整スライダ１３方向に戻され、これにより、ロックスライダ４１のロックスタッド４３が、図４に示すように、隣の室１６に入る。従って、調整スライダ１３及びその結果櫛装置６は、再び、ロックスライダ４１のロックスタッド４３により調整が規制される。この移動のセットの終了時、次の動作位置への櫛装置６の調整が完了する。
【００３２】
次いで、装置１のユーザが、摺動ボタン９を離し、これにより、２つの移動プロセスが生ずる。先ず、圧縮スプリング３６からの力により、係合部３１は、矢印３７により指示される方向とは逆方向に、その開始位置に戻され、その結果、係合ロッド３４の自由端が、第１の調整スライダ１３内の関連する室１６からの抜ける。これにより、矢印４８により指示される方向の摺動ボタン９の前述の変位中に圧縮されている第１の圧縮スプリング２７が、図５に示すように、摺動ボタン９をその開始位置へと戻す。
【００３３】
明らかなように、各例では、上述の工程を多数回連続して実行することによって、調整スライダ１３を、両端矢印１７により指示されるような相互に対向する２方向で、完全な調整ストロークに亘って調整することが可能となる。
【００３４】
装置１では、櫛装置６のいかなる調整を引き起こすには、係合部３１が意図的に動作され、且つ、摺動ボタン９が意図的に調整されることが必要であり、従って、櫛装置６の望ましくない調整が満足いく態様で防止される。尚、装置１について、調整スライダ１３を大きな調整ストロークに亘って調整可能とすることも可能であるが、摺動ボタン９は、調整スライダ１３より相当に小さい調整ストロークを実現する必要があることが特に効果的であり、これにより、小さなサイズの通路を装置１のハウジング２に設ければよくなり、これにより、特に調整される櫛装置６と同じ調整ストロークで調整される必要がある摺動ボタンに比して、当該経路を比較的簡易で満足のいく態様でシールすることができる。
【００３５】
図１乃至図５に示す装置１では、制限手段４０は、ハウジング２に設けられる第１の係止ストッパ３８及び第２の係止ストッパ３９により形成される。制限手段は、この制限手段４０以外にも、代替的に、突起２３，２４及び対向突起２５，２６により形成されてもよく、この場合、装置１のハウジング２内に制限手段が設けられるという効果が得られる。他の形態の制限手段も、装置一のハウジング２内に効果的に設けられうる。
【００３６】
図６乃至図９は、更なる装置１の本発明に重要な詳細を示す。この装置１は、係合部３１が収容される摺動ボタン９を含む。摺動ボタン９は、両端矢印１７により指示される第２の移動経路に平行にハウジング２上で２つの係止ストッパ３８，３９間で移動することができる。シーリング板５０は、ハウジングの内部の底部のスリーブのような部位１８に接続される。シーリング板５０は、底部のスリーブのような部位１８上に圧入される。
【００３７】
調整スライダ１３を調整に対してロックする制御可能なロック手段５１が、図６乃至図９に示すように、装置に設けられる。ロック手段５１は、本例では、調整スライダ１３に向けて係合部３１の係合ロッド３４から突出する２つのＳ字形延長部５２，５３により形成される。調整スライダ１３は、２つの係合フック５６，５７を有し、２つの係合フック５６，５７は、フィルムヒンジ５４，５５によりそれぞれ接続され、装置の固定部品６０，６１に設けられる被係合窪み５８若しくは５９とそれぞれ協働することができる。係合部３１が図６，７に示すように開始位置にあるとき、Ｓ字形延長部５２，５３の自由端６２，６３は、係合フック５６，５７と調整スライダ１３との間に位置する。結果、係合フック５６，５７は、矢印６４，６５方向の調整に対してロックされ、従って、被係合窪み５８，５９から動くことができず、即ち、調整スライダ１３は、如何なる調整に対しても固定されている。一方、係合部３１が図６，７に示す開始位置から図８に示す係合位置に調整された場合、本例では、係合部３１の自由端が、調整スライダ１３に設けられる被係合部としての複数の凹部６６の１つに係合された場合、Ｓ字形延長部５２，５３の自由端６２，６３は、図８に示す高さまで移動され、そこでは、自由端６２，６３は、もはや係合フック５６，５７に対して如何なるロック機能を発揮せず、従って、係合フック５６，５７は、矢印６４，６５方向に調整可能となり、これにより、係合フック５６，５７は、被係合窪み５８，５９から抜け出ることができ、調整スライダ１３が調整可能となる。
【００３８】
図６乃至図９に示す装置では、同様に、摺動ボタン９は、調整スライダ１３の全ストロークよりも有意に小さい調整ストロークを有し、調整スライダ１３は、調整スライダ１３に係合部３１を係合させ、次いで、摺動ボタン９を複数回連続して移動させることで、その全調整ストロークに亘って調整されることができる。図６乃至図９に示す装置では、調整スライダ１３の意図しない移動は、同様に、非常に高い確度で防止でき、ハウジング２の摺動ボタン９に対する通路の簡易で満足の行くシーリングが簡易な態様で可能なる。
【００３９】
図１０は、本発明によるその他の装置１の詳細を示す。本装置１では、摺動ボタン９は、装置１のハウジング２内の通路７０に配設され、摺動ボタン９は、ハウジング２から突出しない。摺動ボタン９は、ボタンの本体７１と一体の係合部７２を有し、係合部７２は、点になるまでテーパーが付けられる係合延長部７２により形成される。弾性を有するアーム７３は、ボタンの本体７１から横方向に突出する。ベアリングシリンダ７４は、ハウジング２と蓋部材７６との間に形成される室７５内に設けられる。このため、アーム７３は、ハウジング２と蓋部材７６との間に形成される通路７７を通る。摺動ボタン９は、ベアリングシリンダ７４、室７５及び通路７７を通るアーム７７により、両端矢印１７により示される第２の移動経路に平行に調整可能にガイドされる。ボタンの本体７１にはシーリングワッシャー７８が圧入され、シーリングワッシャー７８は、アーム７３のスプリング作用によりハウジング２の内面に保持され、これによりシールが提供される。図１０に示す装置１にも、両端矢印１２により示される第１の移動経路に沿って調整可能にガイドされる調整スライダ１３が設けられる。調整スライダ１３は、被係合部として複数のテーパー付きのノッチ７９を有し、これにより、係合部７２の自由端が、動作的に接続されることができる。
【００４０】
図１０に示す装置では、摺動ボタン９は、同様に、調整スライダ１３の長い調整ストロークに比して短い調整ストロークしか有していない。摺動ボタン９の短い調整ストロークは、ハウジング２の部品として設けられる２つの係止ストッパ８０，８１により画成され、この係止ストッパ８０，８１は、小さな調整ストロークに亘ってしか調整できないが、調整スライダ１３は、摺動ボタン９の繰り返しの作動により、摺動ボタン９の調整ストロークよりも相当に大きな調整ストロークに亘って調整できる。図１０に示す装置１では、摺動ボタン９の意図しない調整が、非常に簡易で非常に信頼性の高い態様で防止される、というのは、摺動ボタン９がハウジング２から飛び出していないからである。
【００４１】
本発明による装置として図１乃至図５を参照して述べたのは、髪切り装置であった。しかし、本発明による装置は、ハブラシ装置、髭剃り装置、携帯型口述機、キッチン用品、ラジオレコーダ等のような多くの代替的な種の装置により形成されてよい。
【００４２】
図１乃至図５を参照して述べた装置では、調整スライダ１３は、櫛装置６を調整するために使用される。しかし、この種の調整スライダは、代替的に、装置のポテンショメータを調整するために設けられてもよく、明らかなように、この種の調整スライダが本発明による装置内で実行できる他の機能は多くある。
【００４３】
装置の第２部品に対して摺動ボタンの形態をとることは重要でなく、他の構造的な構成も同様に可能であり、ボタンヘッドの無い純粋なスライダに形態であってもよい。図１ないし図１０を参照して説明した部品に関して、装置の第２部品は、各例では、調整スライダとの直接の協働及び調整のための簡易な１つのボタンである。しかし、これは必須でない、というのは、２つの押しボタンが設けられてよく、例えば、その１つが、調整スライダとの直接の協働及び一の方向の調整のために設けられ、他の１つが、調整スライダとの直接の協働及び逆方向の調整のために設けられてよい。
【００４４】
本発明による装置では、装置の２つの所謂第２部品が、調整スライダを調整するために設けられることも可能であり、この場合、２つの第２部品は、２つの押しボタンにより形成され、それぞれは、係合部としてボタンスライダーを有し、ボタンスライダーは、その長手方向を横断する方向に延在する傾斜面を備え、当該傾斜面は、調整スライダの複数の被係合部と直接的な動作的接続をなすことができ、これにより、調整スライダを変位可能とし、この場合、第１調整方向の調整スライダの変位は、２つの押しボタンの１つにより実現でき、第１調整方向とは逆の第２調整方向での調整スライダの変位は、２つの押しボタンの他の１つにより実現できる。
【００４５】
図１乃至図１０を参照して上述した装置の部品において、係合部は、装置の所謂第２部品に設けられ、複数の被係合部は、調整スライダに設けられ、係合部は、各例では、装置の第２部品から突出する部位として形成され、被係合部は、調整スライダ内の凹部や穴として形成されている。しかし、代替的に、手により調整可能な装置の第２部品が、係合部として窪みや凹部を有し、第２部品により調整可能な調整スライダが、ピン状の延長部のような、複数の突出延長部を被係合部として有してもよい。
【００４６】
図１乃至図１０を参照して上述した装置の部品において、調整スライダは、各例では、直線で延在する第１の移動経路に沿って調整可能にガイドされている。しかし、これは必須でない、というのは、この種の調整スライダが適切に湾曲した形状に延在するとされた場合、曲線で延在する第１の移動経路に沿って調整可能にガイドされうるからである。
【図面の簡単な説明】
【００４７】
【図１】本発明の第１実施例による装置の上方からの斜視図である。
【図２】第１の動作位置の図１に示す装置の詳細断面図である。
【図３】第２の動作位置での装置の図２と同様の詳細断面図である。
【図４】図２、３と同様、第３の動作位置での装置の図２と同様の詳細断面図である。
【図５】図２、３、４と同様、第４の動作位置での装置の図２と同様の詳細断面図である。
【図６】本発明の第２実施例による装置の本発明に重要な詳細を示す断面図である。
【図７】接続スライダの動作状態で、押しボタン型係合スライダを含む詳細を示す図６のVII-VII断面図である。
【図８】接続スライダの非動作状態で、図７と同様の詳細を示す図である。
【図９】装置の第２実施例の更なる詳細を示す図７のIＸ-IＸ断面図である。
【図１０】本発明の第３実施例による装置の本発明に重要な詳細を示す断面図である。
【国際公開パンフレット】
2005505391.tif 000003
2005505391.tif 000004
2005505391.tif 000005
2005505391.tif 000006
2005505391.tif 000007
2005505391.tif 000008
2005505391.tif 000009
2005505391.tif 000010
2005505391.tif 000011
2005505391.tif 000012
2005505391.tif 000013
2005505391.tif 000014
2005505391.tif 000015
2005505391.tif 000016
2005505391.tif 000017
2005505391.tif 000018
2005505391.tif 000019
2005505391.tif 000020
2005505391.tif 000021
2005505391.tif 000022
【国際調査報告】
2005505391.tif 000023
2005505391.tif 000024